(57)【要約】  ユーザに対して、真に購買意欲を惹起させる情報を提供する情報処理装置、情報処理方法、情報処理プログラム及び記録媒体を提供する。  情報処理サーバは、Ｗｅｂページ上の所定位置に設定されるウィジェット表示領域に、ブログ閲覧者のネットワークを介した取引対象に対する行動の履歴を示す行動履歴情報に基づいて、ブログ閲覧者に提示する取引対象を複数特定し、特定された取引対象の取引の成立を検知し、検知された取引対象の情報を、前記取引が成立した順に基づいて表示させる。
2012002363.tif 000002
【特許請求の範囲】
【請求項１】
端末装置に表示されるＷｅｂページ上の所定位置に設定される表示領域に、取引対象の情報を表示させる情報処理装置であって、
前記端末装置のユーザのネットワークを介した取引対象に対する行動の履歴を示す行動履歴情報を取得する行動履歴情報取得手段と、
前記行動履歴情報取得手段によって取得された行動履歴情報に基づいて、複数の取引対象の情報を記憶する記憶手段から、前記ユーザに提示する取引対象を複数特定する取引対象特定手段と、
前記取引対象特定手段によって特定された各取引対象の取引の成立を検知する検知手段と、
前記検知手段での取引成立の検知に応じて、当該取引が成立した取引対象の情報を、前記取引が成立した順に基づいて前記表示領域に表示させる制御手段と、
を備えることを特徴とする情報処理装置。
【請求項２】
請求項１に記載の情報処理装置であって、
前記表示領域には、前記取引が成立した取引対象ごとに所定のサイズに区分された部分表示領域が含まれており、
前記検知手段によって、関連する取引対象の複数の取引の成立が、所定時間内に連続して検知された場合には、
前記制御手段は、前記関連する取引対象の中で何れか１つの取引対象を表示するための前記部分表示領域に、当該関連する取引対象の情報をまとめて表示させることを特徴とする情報処理装置。
【請求項３】
請求項１又は２に記載の情報処理装置であって、
前記制御手段は、前記検知手段によって取引の成立が検知された取引対象の情報とともに、前記取引が成立した取引対象の購入者又は利用者の情報を表示させることを特徴とする情報処理装置。
【請求項４】
請求項１乃至３の何れか１項に記載の情報処理装置であって、
前記制御手段によって前記表示領域に表示される取引対象の情報には、アフィリエイトリンク情報が設定されており、
前記アフィリエイトリンク情報を経由して前記取引対象の取引が新たに成立した場合に、前記Ｗｅｂページの開設者、及び、当該取引対象の情報が表示される要因となった当該取引対象の取引を成立させた購入者又は利用者に対して支払うアフィリエイト報酬を示す情報を、前記Ｗｅｂページの開設者の情報、及び、前記取引対象の情報が表示される要因となった当該取引対象の取引を成立させた購入者又は利用者の情報に対して設定する報酬支払処理手段と、
を更に備えることを特徴とする情報処理装置。
【請求項５】
請求項１乃至４の何れか１項に記載の情報処理装置であって、
前記制御手段は、前記検知手段によって取引の成立が検知された取引対象の情報とともに、当該取引対象の在庫に関する在庫情報を表示させることを特徴とする情報処理装置。
【請求項６】
請求項１乃至５の何れか１項に記載の情報処理装置であって、
前記制御手段は、前記検知手段によって取引の成立が検知された取引対象の情報とともに、当該取引対象を提供する提供者に関する広告情報を表示させることを特徴とする情報処理装置。
【請求項７】
端末装置に表示されるＷｅｂページ上の所定位置に設定される表示領域に、取引対象の情報を表示させる情報処理装置により行われる情報処理方法であって、
前記端末装置のユーザのネットワークを介した取引対象に対する行動の履歴を示す行動履歴情報を取得する行動履歴情報取得ステップと、
前記行動履歴情報取得ステップによって取得された行動履歴情報に基づいて、複数の取引対象の情報を記憶する記憶手段から、前記ユーザに提示する取引対象を複数特定する取引対象特定ステップと、
前記取引対象特定ステップによって特定された各取引対象の取引の成立を検知する検知ステップと、
前記検知ステップでの取引成立の検知に応じて、当該取引が成立した取引対象の情報を、前記取引が成立した順に基づいて前記表示領域に表示させる制御ステップと、
を含むことを特徴とする情報処理方法。
【請求項８】
端末装置に表示されるＷｅｂページ上の所定位置に設定される表示領域に、取引対象の情報を表示させる情報処理装置に含まれるコンピュータに、
前記端末装置のユーザのネットワークを介した取引対象に対する行動の履歴を示す行動履歴情報を取得する行動履歴情報取得ステップと、
前記行動履歴情報取得ステップによって取得された行動履歴情報に基づいて、複数の取引対象の情報を記憶する記憶手段から、前記ユーザに提示する取引対象を複数特定する取引対象特定ステップと、
前記取引対象特定ステップによって特定された各取引対象の取引の成立を検知する検知ステップと、
前記検知ステップでの取引成立の検知に応じて、当該取引が成立した取引対象の情報を、前記取引が成立した順に基づいて前記表示領域に表示させる制御ステップと、
を実行させることを特徴とする情報処理プログラム。
【請求項９】
端末装置に表示されるＷｅｂページ上の所定位置に設定される表示領域に、取引対象の情報を表示させる情報処理装置に含まれるコンピュータに、
前記端末装置のユーザのネットワークを介した取引対象に対する行動の履歴を示す行動履歴情報を取得する行動履歴情報取得ステップと、
前記行動履歴情報取得ステップによって取得された行動履歴情報に基づいて、複数の取引対象の情報を記憶する記憶手段から、前記ユーザに提示する取引対象を複数特定する取引対象特定ステップと、
前記取引対象特定ステップによって特定された各取引対象の取引の成立を検知する検知ステップと、
前記検知ステップでの取引成立の検知に応じて、当該取引が成立した取引対象の情報を、前記取引が成立した順に基づいて前記表示領域に表示させる制御ステップと、
を実行させる情報処理プログラムを記録した記録媒体。
【発明の詳細な説明】
【技術分野】
【０００１】
本発明は、ネットワークを介して情報を提供する技術分野に関する。
【背景技術】
【０００２】
現在、ネットワークを介して行われる電子商取引における広告方法として、ネットワークを介したユーザの行動履歴（例えば、ユーザが閲覧したＷｅｂページの閲覧履歴等）に基づいて、ユーザの趣向に合致すると予測される商品又はサービス等に関する情報を抽出し、広告情報としてユーザに提供（配信）するいわゆる行動ターゲティング広告が利用されている。【０００３】
この行動ターゲティング広告では、例えば、ユーザに提供されるＷｅｂページ（例えば、ブログページ等）の所定の領域に、当該ユーザの行動履歴に基づいて抽出された商品等に関する広告が表示されるようになっている（例えば、特許文献１参照）。
【先行技術文献】
【特許文献】
【０００４】
【特許文献１】特開２０１０−０４４６４８号公報
【発明の概要】
【発明が解決しようとする課題】
【０００５】
ところで、ユーザは、商品等の広告によって得られた情報の他、例えば、当該商品等の市場における取引状況（購買状況、人気）等を把握することによって、当該商品に対する安心感を得るなどして、当該商品に対する購買意欲が惹起される場合がある。【０００６】
しかしながら、上述した行動ターゲティング広告で提供される広告では、単に、商品等の性能や価格等の情報が表示される広告が提供されるだけである。【０００７】
従って、上述した行動ターゲティング広告で提供される広告は、ユーザに対して、十分に購買意欲を惹起させるものではなかった。【０００８】
本発明は、以上の問題等に鑑みてなされたものであり、ユーザに対して、十分に購買意欲を惹起させる情報を提供する情報処理装置、情報処理方法、情報処理プログラム及び記録媒体を提供することを目的とする。
【課題を解決するための手段】
【０００９】
上記課題を解決するために、請求項１に記載の発明は、端末装置に表示されるＷｅｂページ上の所定位置に設定される表示領域に、取引対象の情報を表示させる情報処理装置であって、前記端末装置のユーザのネットワークを介した取引対象に対する行動の履歴を示す行動履歴情報を取得する行動履歴情報取得手段と、前記行動履歴情報取得手段によって取得された行動履歴情報に基づいて、複数の取引対象の情報を記憶する記憶手段から、前記ユーザに提示する取引対象を複数特定する取引対象特定手段と、前記取引対象特定手段によって特定された取引対象の各取引の成立を検知する検知手段と、前記検知手段での取引成立の検知に応じて、当該取引が成立した取引対象の情報を、前記取引が取引した順に基づいて、前記表示領域に表示させる制御手段と、を備えることを特徴とする。【００１０】
従って、Ｗｅｂページを閲覧するユーザに対して、十分に購買意欲を惹起させる情報を提供することができる。【００１１】
請求項２に記載の発明は、請求項１に記載の情報処理装置であって、前記表示領域には、前記取引が成立した取引対象ごとに所定のサイズに区分された部分表示領域が含まれており、前記検知手段によって、関連する取引対象の複数の取引の成立が、所定時間内に連続して検知された場合には、前記制御手段は、前記関連する取引対象の中で何れかひとつの取引対象を表示するための前記部分表示領域に、当該関連する取引対象の情報をまとめて表示させることを特徴とする。【００１２】
従って、Ｗｅｂページを閲覧するユーザに対して、十分に購買意欲を惹起させる情報を、効率的に提供することができる。【００１３】
請求項３に記載の発明は、請求項１又は２に記載の情報処理装置であって、前記制御手段は、前記検知手段によって取引の成立が検知された取引対象の情報とともに、前記取引が成立した取引対象の購入者又は利用者の情報を表示させることを特徴とする。【００１４】
従って、Ｗｅｂページを閲覧するユーザに対して、さらに購買意欲を惹起させる情報を提供することができる。【００１５】
請求項４に記載の発明は、請求項１乃至３の何れか１項に記載の情報処理装置であって、前記制御手段によって前記表示領域に表示される取引対象の情報には、アフィリエイトリンク情報が設定され、前記アフィリエイトリンク情報を経由して前記取引対象の取引が新たに成立した場合に、前記Ｗｅｂページの開設者、及び、当該取引対象の情報が表示される要因となった当該取引対象の取引を成立させた購入者又は利用者に対して支払うアフィリエイト報酬情報を示す情報を、前記Ｗｅｂページの開設者の情報、及び、前記取引対象の情報が表示される要因となった当該取引対象の取引を成立させた購入者又は利用者の情報に対応づけて設定する報酬支払処理手段と、を更に備えることを特徴とする。【００１６】
請求項５に記載の発明は、請求項１乃至４の何れか１項に記載の情報処理装置であって、前記制御手段は、前記検知手段によって取引の成立が検知された取引対象の情報とともに、当該取引対象の在庫に関する在庫情報を、表示させることを特徴とする。【００１７】
請求項６に記載の発明は、請求項１乃至５の何れか１項に記載の情報処理装置であって、前記制御手段は、前記検知手段によって取引の成立が検知された取引対象の情報とともに、当該取引対象を提供する提供者に関する広告情報を表示させることを特徴とする。【００１８】
請求項７に記載の発明は、端末装置に表示されるＷｅｂページ上の所定位置に設定される表示領域に、取引対象の情報を表示させる情報処理装置により行われる情報処理方法であって、前記端末装置のユーザのネットワークを介した取引対象に対する行動の履歴を示す行動履歴情報を取得する行動履歴情報取得ステップと、前記行動履歴情報取得ステップによって取得された行動履歴情報に基づいて、複数の取引対象の情報を記憶する記憶手段から、前記ユーザに提示する取引対象を複数特定する取引対象特定ステップと、前記取引対象特定手段によって特定された各取引対象の取引の成立を検知する検知ステップと、前記検知ステップでの取引成立の検知に応じて、当該取引が成立した取引対象の情報を、前記取引が成立した順に基づいて前記表示領域に表示させる制御ステップと、を含むことを特徴とする。【００１９】
請求項８に記載の発明は、端末装置に表示されるＷｅｂページ上の所定位置に設定される表示領域に、取引対象の情報を表示させる情報処理装置に含まれるコンピュータに、前記端末装置のユーザのネットワークを介した取引対象に対する行動の履歴を示す行動履歴情報を取得する行動履歴情報取得ステップと、前記行動履歴情報取得ステップによって取得された行動履歴情報に基づいて、複数の取引対象の情報を記憶する記憶手段から、前記ユーザに提示する取引対象を複数特定する取引対象特定ステップと、前記取引対象特定ステップによって特定された各取引対象の取引の成立を検知する検知ステップと、前記検知ステップでの取引成立の検知に応じて、当該取引が成立した取引対象の情報を、前記取引が成立した順に基づいて前記表示領域に表示させる制御ステップと、を実行させることを特徴とする。【００２０】
請求項９に記載の発明は、端末装置に表示されるＷｅｂページ上の所定位置に設定される表示領域に、取引対象の情報を表示させる情報処理装置に含まれるコンピュータに、前記端末装置のユーザのネットワークを介した取引対象に対する行動の履歴を示す行動履歴情報を取得する行動履歴情報取得ステップと、前記行動履歴情報取得ステップによって取得された行動履歴情報に基づいて、複数の取引対象の情報を記憶する記憶手段から、前記ユーザに提示する取引対象を複数特定する取引対象特定ステップと、前記取引対象特定ステップによって特定された各取引対象の取引の成立を検知する検知ステップと、前記検知ステップでの取引成立の検知に応じて、当該取引が成立した取引対象の情報を、前記取引が成立した順に基づいて前記表示領域に表示させる制御ステップと、を実行させる情報処理プログラムを記録したことを特徴とする。
【発明の効果】
【００２１】
本発明によれば、ユーザに対して、十分に購買意欲を惹起させる広告を提供することができる。
【図面の簡単な説明】
【００２２】
【図１】本発明の一実施形態に係る情報処理システムＳの概要構成の一例を示す図である。
【図２】本発明の一実施形態に係る情報処理サーバ３の概要構成の一例を示すブロック図である。
【図３】各種データベースに登録される内容の一例を示す図である。
【図４】取引対象の情報が表示されるまでの情報処理システムＳの動作を示すシーケンス図である。
【図５】ウィジェット表示領域に表示される取引対象の情報の表示画面例である。
【図６】関連する複数の取引対象の中で何れか１つの取引対象を表示するための前記部分表示領域に、当該関連する複数の取引対象の情報をまとめて表示させた場合の表示画面例である。
【図７】取引の成立が検知された取引対象の情報とともに、当該取引が成立した取引対象の購入者又は利用者の情報を表示させた場合の表示画面例である。
【図８】取引対象の情報とともに、在庫に関する在庫情報を表示させた場合の表示画面例である。
【図９】取引対象の情報とともに、取引対象を提供する提供者に関する広告情報を表示させた場合の表示画面例である。
【図１０】取引対象の情報として、ブログ閲覧者の友人情報を表示させた場合の表示画面例である。
【図１１】ウィジェット表示領域における商品情報の表示画面例である。
【図１２】ウィジェット表示領域における商品情報の表示画面例である。
【図１３】ウィジェット表示領域における商品情報の表示画面例である。
【図１４】アフィリエイト報酬支払いにおける情報処理システムＳの動作を示すシーケンス図である。
【発明を実施するための形態】
【００２３】
［１.情報処理システムの構成及び機能概要］
以下、図面を参照して本発明の一実施形態に説明する。なお、以下に説明する実施の形態は、情報処理システムに対して本発明を適用した場合の実施形態である。
【００２４】
まず、図１を参照して、本発明の一実施形態に係る情報処理システムＳの構成及び概要機能について説明する。
【００２５】
図１は、本発明の一実施形態に係る情報処理システムＳの概要構成の一例を示す図である。
【００２６】
図１に示すように、情報処理システムＳは、複数のユーザ端末１−ｋ（ｋ＝１、２〜ｎ）（端末装置の一例）と、複数のＷｅｂサイト２−ｋ（ｋ＝１、２〜ｎ）と、情報処理サーバ３（情報処理装置の一例）と、を含んで構成される。
【００２７】
ユーザ端末１−ｋと、Ｗｅｂサイト２−ｋと、情報処理サーバ３は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２８】
このような構成の情報処理システムＳにおいて、ユーザ端末１−ｋは、Ｗｅｂサイト２−ｋ、又は情報処理サーバ３から提供される各種サービスを利用するユーザによって用いられる端末装置であり、Ｗｅｂブラウザ機能を有し、Ｗｅｂブラウザにより、Ｗｅｂサイト２−ｋや情報処理サーバ３にアクセスしてＷｅｂページを取得し、当該Ｗｅｂページをディスプレイ上に表れたウインドウ画面内に表示するようになっている。このウインドウ画面は、Ｗｅｂブラウザのアクティブな表示領域である。なお、ユーザ端末１−ｋとしては、例えば、パーソナルコンピュータ（ＰＣ）、携帯電話機、携帯情報端末 (ＰＤＡ：Personal Digital Assistant)、携帯電話と携帯情報端末を融合させた携帯端末（Smartphone）、又は携帯ゲーム機等が適用可能である。なお、ユーザ端末１−ｋのユーザからの操作指示を受け付けるための操作部としては、キーボード、マウス、リモコン、タッチパネルインターフェース等の何れであっても良い。
【００２９】
Ｗｅｂサイト２−ｋは、Ｗｅｂサーバ、アプリサーバ、及びデータベースサーバ等から構成されている。かかるＷｅｂサイト２−ｋは、例えば、会員登録されたユーザ（例えばユーザ端末１−ｋのユーザ）と、当該ユーザの指示に基づき生成（開設）されるＷｅｂページと、を対応付けて登録するサイトである。なお、Ｗｅｂページは、例えば、ＨＴＭＬ（Hyper Text Markup Language）文書やＸＨＴＭＬ文書等の構造化文書のファイル、及び画像ファイル等により構成される。このようなＷｅｂサイト２−ｋとしては、ブログサイト、又は、ＳＮＳ（Social Networking Service）サイト（コミュニティサイト）等が一例として挙げられる（各サイトのＵＲＬ（Uniform Resource Locator）は互いに異なる）。
【００３０】
このＷｅｂサイト２−ｋがブログサイトであった場合には、当該ブログサイトはブログ事業者によって運営され、ユーザ端末１−ｋからのＨＴＴＰ（Hyper Text Transfer Protocol）リクエストに応じて、いわゆるブログ（Ｗｅｂｌｏｇ）を構成するＷｅｂページ（以下単に、「ブログページ」と称する。）を提供する。なお、以下の説明においては、ブログサイト及びブログページを例にとって説明するが、その他のサイト及びその他のページ（例えば、ユーザのログインによりカスタマイズされるマイページ等）に適用することも可能である。ブログサイトにおいては、例えば、ユーザ端末１−ｋを使用するユーザが、ブログサイトの会員登録をすると、そのユーザは、当該ブログサイトにおいてユーザ自身のブログページを開設することができる。そして、会員登録されたユーザは、ブログサイトにアクセスして、自己のブログページを更新することができる。以下、ブログページの開設や更新等をするユーザを、「ブログ開設者」（Ｗｅｂページの開設者の一例）と称する。また、例えば、ブログ開設者以外の他のユーザは、自身のユーザ端末１−ｋからブログサイトへアクセスすることにより提供されたブログ開設者のブログページを閲覧することができる。以下、ブログページを閲覧するユーザを「ブログ閲覧者」と称する。
【００３１】
情報処理サーバ３は、会員登録されたユーザ（例えば、ユーザ端末１−ｋのユーザ等）に対して、商品販売サイト、旅行予約サイト、宿泊予約サイト、施設利用予約サイト、商品レンタル予約サイト等（以下、これらのサイトを総称して「ネット市場」と称する。なお、「ネット市場」には、ネット市場に出店登録された「店舗」が一または複数存在する。）における各種サービスの提供や、各種情報を提供する総合サービスサイトを運営するために設置されたＷｅｂサーバである。
【００３２】
例えば、情報処理サーバ３は、総合サービスサイトにログインされたユーザ端末１−ｋからのＨＴＴＰリクエストに応じて、所定のＷｅｂページをユーザ端末１−ｋに送信する。こうして送信されたＷｅｂページ上には、例えば、ネット市場で取扱われる取引対象としての商品又は旅行、宿泊、美容、遊戯施設等のサービスに関する情報や取引対象の取引を成立させるためのユーザインターフェース等が含まれたＷｅｂページ等が表示される。そして、情報処理サーバ３は、このＷｅｂページを閲覧したユーザのユーザ端末１−ｋ等からのリクエストに基づいて、取引対象の検索、商品の購入、サービスの予約、又は、商品のレンタル（貸与）の予約等の商品等の取引に関する処理を行う。また、情報処理サーバ３は、詳しくは後述するが、ユーザによるＷｅｂページの閲覧履歴（言い換えれば、当該ユーザのユーザ端末１−ｋに送信したＷｅｂページの履歴）や、ユーザによる取引に関する履歴等を、ユーザのネットワークを介した行動の履歴を示す行動履歴情報として登録するようになっている。
【００３３】
そして、本実施形態における情報処理サーバ３は、Ｗｅｂサイト２−ｋから送信されるＷｅｂページ上（例えば、上記ブログページ等）の所定位置に設定される表示領域に、取引対象の情報を表示させるようになっている。
【００３４】
この実現方法の一例として、本実施形態では、例えばブログページに組み込まれるウィジェット（ガジェット）プログラムによって、当該ブログページ上の所定位置に表示領域（以下、「ウイジェット表示領域」と称する）を設定し、設定されたウィジェット表示領域に取引対象の情報を表示させるようになっている。なお、このウィジェット表示領域には、取引が成立した（以下、「取引成立」ともいう。）取引対象ごとに所定のサイズに区分された部分表示領域が含まれている。
【００３５】
このウィジェットプログラムは、所定のスクリプト言語（例えば、JavaScript（登録商標））で記述されたソースコードが、外部スクリプトファイルとして情報処理サーバ３に記憶されている。そして、ユーザ端末１−ｋのＷｅｂブラウザが、情報処理サーバ３に記憶されたソースコードを読み出し、ウィジェットプログラムを実行するために、設定対象であるブログページを構成する構造化文書において、
例えば、＜script＞〜＜/script＞タグが、設定（記述）されている。
【００３６】
この記述の一例としては、
＜script type=”スクリプト言語のタイプ”src=” http://xml.xxx.xxx.co.jp/Widget/xx/（ウィジェットプログラムの記憶場所）”＞
user#id =ユーザＩＤ
……
＜/script＞
のようになっている。
【００３７】
このタグ内において、ｓｒｃ属性は、ソースコードが記憶される領域を示す。また、「user#id =」には、ブログページにウィジェットプログラムを組み込んだブログ開設者のユーザＩＤが記述される。このユーザＩＤは、例えば、ウィジェットプログラムのソースコードが読み出される際又はウィジェットプログラムが実行される際に、情報処理サーバ３へ送信されるようになっている。
【００３８】
そして、ブログページが、例えば、ユーザ端末１−ｋのＷｅｂブラウザによってＷｅｂサイト２−ｋから取得されると、情報処理サーバ３から読み出されたソースコードに基づいて、ウィジェットプログラムが実行される。そして、実行されたウィジェットプログラムに基づいて、情報処理サーバ３と、ユーザ端末１−ｋとの間で、データの送受信が可能となる。なお、ウィジェットプログラムは、ブログページを構成する構造化文書に上述した＜script＞〜＜/script＞タグが設定される際にブログページに記述され、Ｗｅｂサイト２−ｋに登録されるように構成してもよい。この場合、ＷｅｂブラウザによりＷｅｂサイト２−ｋからブログページが取得される際に、上記ソースコードが情報処理サーバ３から読み込まれる必要はない。
【００３９】
そして、本実施形態では、実行されたウィジェットプログラムに基づいて、ユーザ端末１−ｋのＷｅｂブラウザにより表示されるブログページ上の所定位置にウィジェット表示領域が設定され、設定されたウィジェット表示領域に、情報処理サーバ３から送信される取引対象の情報が表示される。このとき、情報処理サーバ３は、上記送信されたブログ開設者のユーザＩＤを特定することによって、取引対象の情報が表示されるブログページのブログ開設者を特定することができる。
【００４０】
さらに、本実施形態では、詳しくは後述するが、情報処理サーバ３は、ブログページのウィジェット表示領域に表示される取引対象の情報を、当該ブログを閲覧するブログ閲覧者の行動履歴情報に基づいて複数特定するようになっている。そして、情報処理サーバ３は、特定した各取引対象の取引の成立を検知し、取引成立の検知に応じて、当該取引が成立した取引対象の情報を、取引が成立した順に基づいて（例えば、商品の購買順にしたがって）ウィジェット表示領域に表示させるようになっている。
【００４１】
なお、総合サービスサイトを提供する情報処理サーバ３は、Ｗｅｂサイト２−ｋのうちの例えばＷｅｂサイト２−１に含まれるものであっても良いし、Ｗｅｂサイト２−１と連携する（例えば、同一事業者によって運営される）ものであっても良い。
【００４２】
また、図１の例では、説明の便宜上、複数のＷｅｂサイト２−ｋが示されているが、一つのＷｅｂサイトでも良い。また、一つの情報処理サーバ３が示されているが、複数のサーバにより構成されるようにしてもよい。また、ユーザ端末１−ｋは、ユーザ毎に多数存在する。
［２.情報処理サーバの構成及び機能概要］
次に、図２及び図３を参照して、情報処理サーバ３の構成及び機能について説明する。
【００４３】
図２は、本発明の一実施形態に係る情報処理サーバ３の概要構成の一例を示すブロック図である。
【００４４】
図２に示すように、情報処理サーバ３は、通信部１１と、記憶部１２（記憶手段の一例）と、入出力インターフェース部１３と、システム制御部１４と、を備えている。そして、システム制御部１４と入出力インターフェース部１３とは、システムバス１５を介して接続されている。
【００４５】
通信部１１は、ネットワークＮＷに接続して、ユーザ端末１−ｋやＷｅｂサイト２−ｋとの通信状態を制御する。
【００４６】
記憶部１２は、例えば、ハードディスクドライブ等により構成されており、オペレーティングシステム及びアプリケーションプログラム（本発明の情報処理プログラム等を含む）等の各種プログラムを記憶する。なお、本発明の情報処理プログラムは、例えば、他のサーバ装置等からネットワークＮＷを介して取得されるようにしても良いし、ＣＤ−ＲＯＭ等の記録媒体に記録されてドライブを介して読み込まれるようにしても良い。
【００４７】
また、記憶部１２には、総合サービスサイトから提供されるＷｅｂページとして記述される構造化文書ファイル、及び画像ファイル等が記憶されている。Ｗｅｂページに配置される各コンテンツは、例えば、テキスト、静止画像、及び動画像の少なくとも何れか一つから構成される。
【００４８】
また、記憶部１２には、会員情報データベース（ＤＢ）１２１、ショッピング情報データベース（ＤＢ）１２２、行動履歴情報データベース（ＤＢ）１２３、及び、取引履歴情報データベース（ＤＢ）１２４、が構築されている。
【００４９】
ここで、図３を参照して、各種データベースに登録される内容の一例について説明する。
【００５０】
図３は、各種データベースに登録される内容の一例を示す図である。
【００５１】
図３（Ａ）に示す会員情報データベース（ＤＢ）１２１には、会員登録されたユーザ（総合サービスサイトの利用者）のユーザＩＤが、ユーザの名前、パスワード、性別、年齢、住所、電話番号、メールアドレス、友達情報、表示許可情報、又は、アフィリエイト報酬に関する情報等（以下、「ユーザ情報」とする）と、対応付けて登録されている。ユーザ情報は、ユーザＩＤによってユーザ毎に判別可能になっている。このユーザ情報は、例えば、総合サービスサイトの会員登録時又はその後の更新時等に、ユーザに、所定の入力フォームに入力させることによって取得し、登録されるようになっている。
【００５２】
ここで、ユーザＩＤは、ユーザを識別するための識別子である。
【００５３】
なお、会員登録されたユーザには、ブログ開設者や、ブログ閲覧者等のユーザが含まれている。
【００５４】
友達情報とは、会員登録されたユーザと友達関係にあるユーザに関する情報であり、例えば、会員登録時にユーザによって入力された情報、又は、所定のデータベースに登録されたブログサイト、ＳＮＳサイト、又は、インスタントメッセンジャーにおけるいわゆる友達登録機能（友達関係にあるユーザを登録する機能）によって友達登録された情報（リスト）から取得された情報等である。
【００５５】
表示許可情報とは、ユーザ自身が取引を成立させた取引対象に関する情報が、ウィジェット表示領域に表示されることを許可するか否かを示す情報である。この表示許可情報は、取引が成立する際（例えば、決済情報を表示する際や商品の注文情報を確認する際に表示する情報）に、取引を成立させたユーザの入力（例えば、上述した取引を成立させるためのユーザインターフェース等が含まれたＷｅｂページに設定されたチェックボックスにチェックを入れる等）に基づいて、取引対象毎に登録されるようにしても良い。
【００５６】
アフィリエイト報酬に関する情報とは、ユーザに支払われたアフィリエイト報酬の具体的内容を示す。詳しくは後述するが、本実施形態では、アフィリエイトリンク情報を経由して商品等の購入決済が行われた場合に、所定のユーザに対してアフィリエイト報酬（アフィリエイトの成果報酬）が支払われる。このアフィリエイト報酬としては、現金に限られず、例えば、ポイント、電子マネー、割引クーポン券、サービスチケット等であっても良い。このアフィリエイト報酬に関する情報には、ユーザに支払われたアフィリエイト報酬の対象（即ち、上記電子マネー等）や、具体的な金額等のアフィリエイト報酬の具体的内容が登録される。
【００５７】
図３（Ｂ）に示すショッピング情報データベース（ＤＢ）１２２には、情報処理サーバ３から提供されるネット市場に出店登録された店舗（取引対象を提供する提供者の一例。以下、「店舗」と称する。）の店舗ＩＤ、店舗名、住所、電話番号、メールアドレス、店舗ページのＵＲＬ、取扱商品の商品情報、アフィリエイト報酬の料率等の店舗情報、及び店舗情報が店舗毎に対応付けられて登録される。ここで、店舗ＩＤは、店舗を識別するための識別子である。取扱商品の商品情報には、店舗で販売している各商品の商品ＩＤ、商品名、商品コード（例えば、ＪＡＮコード）、商品説明（商品スペック、商品のカテゴリ（種類）や商品特徴等）、商品画像データ、販売価格情報、及び、在庫情報が含まれる。商品ＩＤは、商品を識別するための識別子である。店舗情報には、店舗の運営者等によって設定されるセールス情報等の店舗の広告に関する広告情報が含まれる。セールス情報としては、セールスの開催年月日時、セールスの開催場所、セールスの開催期間、セールスの対象となる取引対象等の情報が登録される。
【００５８】
図３（Ｃ）に示す行動履歴情報データベース（ＤＢ）１２３には、上述した会員登録されたユーザの行動履歴情報としての閲覧履歴、お気に入り登録履歴、及び取引履歴が、ユーザＩＤと対応付けて登録されている。
【００５９】
そして、この行動履歴情報は、会員登録されたユーザのネットワークを介した取引対象に対する行動に応じて更新されるようになっている。
【００６０】
具体的には、例えば、総合サービスサイトへログインしているユーザの操作により、ユーザ端末１−ｋの表示部に、ある取引対象（例えば、商品又はサービス等）の詳細ページ等が表示された場合、その閲覧履歴が上記行動履歴情報に追加されることになる。閲覧履歴には、例えば、閲覧されたページのＵＲＬ（Uniform Resource Locator）、及び閲覧年月日時等の情報が含まれる。また、閲覧されたページから取引対象を特定可能な例えば商品ＩＤ等を抽出することができる。
【００６１】
また、総合サービスサイトへログインしているユーザにより、ユーザ端末１−ｋからお気に入りの登録操作が行われた場合、そのお気に入りの登録履歴が上記行動履歴情報に追加されることになる。お気に入り登録履歴には、例えば、お気に入り登録されたページのＵＲＬ、及び、お気に入り登録年月日時等の情報が含まれる。ここで、お気に入り登録とは、例えば、ユーザが、所望の情報を後から迅速に閲覧可能とするために、ページのＵＲＬ等を登録することを意味する。なお、公知のブックマーク（しおり、付箋）、及びチェックリストへの登録は、お気に入り登録の一種である。
【００６２】
また、総合サービスサイトへログインしているユーザにより、ネット市場の所定の店舗において、取引対象の取引が成立した場合、その取引履歴が、上記行動履歴情報に追加されることになる。ここで、取引の成立は、例えば、取引対象に対する決済処理が完了したとき、又は決済処理が完了した旨のメールがユーザのメールアドレス宛に配信されたときに判定される。取引履歴には、取引対象識別情報、取引年月日時、取引した店舗ＩＤ、取引相手のユーザＩＤ、取引数量、又は取引金額等の情報が含まれる。取引対象が商品であった場合には、取引対象識別情報として購入された商品の商品ＩＤ、購入年月日時、購入した店舗ＩＤ、購入者のユーザＩＤ、購入した数量、又は購入金額等の情報が含まれる。また、取引対象がサービスであった場合には、取引対象識別情報として予約されたサービスの商品ＩＤ、予約年月日時、予約した店舗ＩＤ、予約者のユーザＩＤ、又は金額等の情報が含まれる。また、取引対象が商品のレンタルであった場合には、取引対象識別情報としてのレンタル対象の商品ＩＤ、予約年月日時、予約した店舗ＩＤ、利用者のユーザＩＤ、レンタルの期間又は金額等の情報が含まれる。
【００６３】
なお、行動履歴情報は、行動履歴情報データベース以外のデータベースに登録されるように構成してもよい。また、取引履歴は、取引履歴情報ＤＢ１２４から取得されるように構成してもよい。
【００６４】
図３（Ｄ）に示す取引履歴情報データベース（ＤＢ）１２４には、取引が成立したネット市場の所定の店舗で取り扱われる取引対象に関する情報が、取引が成立した順番に登録されるようになっており、取引対象識別情報（上述した商品の商品ＩＤ、サービスの商品ＩＤ、又はレンタル対象の商品ＩＤ等）と、取引が成立した取引年月日時、取引対象の購入者又は利用者としてのユーザＩＤ、取引対象が取り扱われる店舗ＩＤ、取引数量情報、取引金額情報、表示許可情報等が、対応付けて登録される。なお、表示許可情報は、例えば取引が成立した際に、会員情報ＤＢ１２１から取得されて取引履歴情報ＤＢ１２４に登録される。また、表示許可情報は、取引履歴情報ＤＢ１２４に登録せず、ユーザＩＤをキーとして、会員情報ＤＢ１２１から取得するようにしても良い。
【００６５】
システム制御部１４は、ＣＰＵ（Central Processing Unit）１４ａ、ＲＯＭ（Read Only Memory）１４ｂ、及びＲＡＭ（Random Access Memory）１４ｃ等により構成されている。そして、システム制御部１４は、ＣＰＵ１４ａが、ＲＯＭ１４ｂや記憶部に記憶された各種プログラムを読み出し実行することにより、本発明の行動履歴情報取得手段、取引対象特定手段、検知手段、制御手段、及び報酬支払処理手段等として機能し、後述する処理を行うようになっている。
［３．情報処理システムＳの動作］
次に、本実施形態に係る情報処理システムＳの動作について説明する。
（３−１．取引対象の情報の表示動作）
まず、図４を参照して、取引対象の情報の表示動作について説明する。
【００６６】
図４は、取引対象の情報が表示されるまでの情報処理システムＳの動作を示すシーケンス図である。
【００６７】
図４に示すように、まず、ブログ閲覧者がユーザ端末１−ｋを操作して、Ｗｅｂブラウザを起動させて、所定のユーザの（例えば検索機能により検索された）ブログページのＵＲＬが指定されると、ユーザ端末１−ｋからブログサイトへ、アクセス要求（例えば、ｈｔｔｐリクエスト）が送信される（ステップＳ１）。
【００６８】
次いで、ブログサイトでは、リクエストされたＵＲＬに基づいて、例えばデータベースに登録されたブログページを特定する（ステップＳ２）。
【００６９】
そして、特定されたブログページが、例えば、ユーザ端末１−ｋのＷｅｂブラウザによって取得されると（ステップＳ３）、ブログページを構成する構造化文書内の設定に従って、ユーザ端末１−ｋは、情報処理サーバ３へウィジェットプログラムのソースコードの読み出し要求、及びブログ開設者のユーザＩＤを送信する（ステップＳ４）。
【００７０】
次いで、ユーザ端末１−ｋは、ソースコードを取得すると（ステップＳ５）、ウィジェットプログラムを実行する（ステップＳ６）。
【００７１】
次いで、情報処理サーバ３のシステム制御部１４は、ブログ閲覧者のユーザＩＤを特定する（ステップＳ７）。
【００７２】
ここで、ブログ閲覧者のユーザＩＤを特定する方法の一例を説明する。
【００７３】
例えば、ブログ閲覧者が、既に総合サービスサイトに会員登録されている場合を考える。
【００７４】
会員登録されたブログ閲覧者が、総合サービスサイトを提供する情報処理サーバ３へログインしている場合には、ブログ閲覧者が操作するユーザ端末１−ｋと、情報処理サーバ３との間でセッションが確立している。このセッションの確立により、情報処理サーバ３は、セッションが確立しているユーザのユーザＩＤを特定することができる。
【００７５】
上述したようにウィジェットプログラムが実行されると、情報処理サーバ３と、ユーザ端末１−ｋとの間で、データの送受信が可能となるため、ブログ閲覧者が操作するユーザ端末１−ｋと、情報処理サーバ３との間のセッション状態も維持されることとなる。
【００７６】
従って、情報処理サーバ３は、会員情報ＤＢ１２１を参照して、ブログ閲覧者のユーザＩＤを特定できるのである。
【００７７】
また、会員登録されたブログ閲覧者が、総合サービスサイトを提供する情報処理サーバ３へログインしていない場合には、ブログ閲覧者のユーザ端末１−ｋに記憶されたクッキー（cookie）を用いて、ブログ閲覧者のユーザＩＤを特定することができる。
【００７８】
例えば、総合サービスサイトへの会員登録が終了すると、情報処理サーバ３は、新規会員登録者のユーザＩＤ、パスワード等のログインに必要な情報が記憶されたクッキーを発行し、新規会員登録者のユーザ端末１−ｋへ送信する。ユーザ端末１−ｋは、送信されたクッキーを記憶（保存）する。ユーザ端末１−ｋに記憶されたクッキーは、情報処理サーバ３へのアクセス時に情報処理サーバ３へ送信される。そして、情報処理サーバ３は、ユーザ端末１−ｋから受信したクッキーに格納されたユーザＩＤを参照して、ブログ閲覧者のユーザＩＤを特定することができる。
【００７９】
また、会員登録されたブログ閲覧者が、総合サービスサイトを提供する情報処理サーバ３へログインしておらず、クッキーを利用できない（クッキーの削除、又はクッキーの有効期限切れ）場合には、ブログ閲覧者に対してログイン処理を促すメッセージを例えばウィジェット表示領域上に表示するようにしても良い。
【００８０】
次に、システム制御部１４は、特定したブログ閲覧者の行動履歴情報を取得する（ステップＳ８）。
【００８１】
具体的には、システム制御部１４は、行動履歴情報ＤＢ１２３を参照して、ステップＳ７で特定したユーザＩＤと対応付けて登録された行動履歴情報としての閲覧履歴、お気に入り登録履歴、及び取引履歴のうち少なくとも何れか一つを取得する。
【００８２】
なお、ブログ閲覧者の閲覧履歴は、ブログ閲覧者のユーザ端末１−ｋに記憶されたクッキーから取得するようにしても良い。例えば、ユーザの操作により、ユーザ端末１−ｋの表示部に表示されるＷｅｂページを閲覧したときに、その閲覧履歴（例えばＷｅｂページのＵＲＬ）が格納されたクッキーが発行され、ユーザ端末１−ｋに記憶される場合、このクッキーから閲覧履歴を取得することができる。
【００８３】
次いで、システム制御部１４は、取得した行動履歴情報に基づいて、ブログ閲覧者に提示する取引対象を複数特定する（ステップＳ９）。
【００８４】
例えば、購買履歴情報としての購入履歴又は閲覧履歴情報又はお気に入り登録情報に、登録された商品の商品ＩＤを抽出して、ショッピング情報ＤＢ１２２を参照して、ブログ閲覧者に提示する取引対象として、抽出された商品ＩＤが示す商品や、当該商品と同一のカテゴリや同一のスペックを示す商品が複数特定される。
【００８５】
例えば、閲覧されたページ又は、お気に入り登録履歴に示されるページに表示される文字列に基づいて、商品名又は商品コードが特定され、この抽出された商品名又は商品コードがショッピング情報ＤＢ１２２に登録されている（つまり、取扱商品の商品情報に含まれている）場合には、ブログ閲覧者に提示する取引対象として当該商品名又は商品コードに対応する商品（商品ＩＤ）や、当該商品名等と同一のカテゴリや同一の商品スペックを示す商品（即ち、同種の商品）が複数特定される。或いは、閲覧されたページ又は、取得したお気に入り登録履歴に示されるページに表示される画像から、商品画像が特定され、この抽出された商品画像が、ショッピング情報ＤＢ１２２に登録されている場合には、ブログ閲覧者に提示する取引対象として当該商品画像に対応する商品や、当該商品の商品名等と同一のカテゴリや同一の商品スペックを示す商品が複数特定される。
次いで、システム制御部１４は、ステップＳ９で特定された各取引対象の取引の成立を検知する（ステップＳ１０）。
【００８６】
上述したように、取引履歴情報ＤＢ１２４には、ネット市場で取り扱われる取引対象に関する情報が、取引が成立した順番に登録される。従って、システム制御部１４は、取引履歴情報ＤＢ１２４を継続的に参照することによって、特定した複数の取引対象の取引が、現時点を基準として、新たに成立したか否かを検知することができる。
【００８７】
次いで、特定された各取引対象の取引成立の検知に応じて（特定された複数の取引対象の取引が、新たに成立したことが検知された場合）、システム制御部１４は、当該取引の成立が検知された取引対象の情報を、ウィジェット表示領域に表示させる情報として設定する（ステップＳ１１）。
【００８８】
表示させる取引対象の情報として、例えば、ステップＳ１０で検知された各商品ＩＤに対応する商品名、商品画像データ、販売価格情報、商品説明が、ショッピング情報ＤＢ１２２から抽出され、設定される。
【００８９】
次いで、システム制御部１４は、設定された取引対象が取り扱われる店舗に対応する商品購入手続きページへのアフィリエイトリンク情報を、表示させる取引対象の情報に、商品毎に設定する（ステップＳ１２）。
【００９０】
このアフィリエイトリンク情報（例えば、<a ・・・</a>）は、例えば、リンク参照句（例えば、href=）と、商品購入手続ページのＵＲＬ（"http://.afl.xxxx.abc.co.jp/‥）と、上記ステップＳ１１で設定された取引対象の商品ＩＤと、店舗ＩＤと、上記ステップＳ７で特定されたブログ開設者のユーザＩＤと、ステップＳ１０で検知された成立した取引の取引対象の購入者又は利用者（つまり、取引対象の情報が表示される要因（トリガ）となった当該取引対象の取引を成立させた購入者又は利用者）のユーザＩＤと、リンクが張られる表示させる取引対象の情報の指定情報（例えば、target="#blank"・・・）と、を含んで構成される。
【００９１】
なお、アフィリエイトリンク情報に含まれる商品購入手続ページのＵＲＬ、商品ＩＤ、店舗の店舗ＩＤ、ブログ開設者のユーザＩＤ、及び成立した取引の取引対象の購入者又は利用者のユーザＩＤの部分がアフィリエイトＵＲＬを構成する（商品ＩＤ、店舗ＩＤ、及びユーザＩＤは例えば暗号化される）。
【００９２】
また、上記表示させる取引対象の情報がテキストデータの場合には、当該テキストデータが記述される（例えば、target="#blank">りんご</a>）。また、表示させる取引対象の情報が商品画像データの場合、アフィリエイトリンク中の指定情報内に当該商品画像データのＵＲＬが記述される（例えば、
target="#blank"><img src="http://hbb.fruit.abc.co.jp/apple...></a>）。
【００９３】
なお、取引対象の情報が表示される要因となった当該取引対象の取引を成立させた購入者又は利用者のユーザＩＤは、取引履歴情報ＤＢ１２４を参照することによって、特定することができる。
【００９４】
これにより、その後、ウィジェットプログラムに基づいて、ブログ閲覧者のユーザ端末１−ｋから、ステップＳ１２でアフィリエイトリンク情報が設定された取引対象の情報の送信要求（所定時間間隔でなされる）があった場合に（ステップＳ１３）、システム制御部１４は、アフィリエイトリンク情報が設定された取引対象の情報を、当該要求をしたユーザ端末１−ｋへ送信して（ステップＳ１４）、表示させることになる（ステップＳ１５）。
【００９５】
なお、上記送信要求を必要とせずに、情報処理サーバ３からユーザ端末１−ｋ（ウィジェットプログラム）に対して、ステップＳ１２でアフィリエイトリンク情報が設定された取引対象の情報を所定時間間隔でプッシュ配信するように構成してもよい。
【００９６】
ここで、図５を参照して、ウィジェット表示領域に表示される取引対象の情報の表示画面について説明する。
【００９７】
図５は、ウィジェット表示領域に表示される取引対象の情報の表示画面例である。
【００９８】
図５に示すように、Ｗｅｂブラウザ３１には、ブログページとして、ブログ記事表示部３２と、ウィジェット表示領域４１が表示されている。
【００９９】
ブログ記事表示部３２には、ブログ開設者によって日々更新される記事が表示されると共に、この記事に対して、当該記事を閲覧する者がリンクを張り、又は当該閲覧者の個人的な意見、批評、解説等のコメントが書き加えられ、これらの情報が時系列に記述される。
【０１００】
ウィジェット表示領域４１は、上述したウィジェット表示領域を示し、設定された取引対象の情報が、部分表示領域４２〜４６に表示されている。
【０１０１】
図５に示す例では、システム制御部１４は、取引対象の情報を、前記取引が成立した取引対象ごとに所定のサイズに区分された部分表示領域に表示させ、取引が成立した順に基づいて表示させるようになっている。
【０１０２】
具体的には、部分表示領域４２〜４６には、取引対象の情報としての商品画像表示部４２ａ〜４６ａと、取引対象としての商品情報表示部４２ｂ〜４６ｂがそれぞれ表示されている。
【０１０３】
更に具体的には、部分表示領域４２には、オレンジの画像が表示された商品画像表示部４２ａと、商品名が表示された商品情報表示部４２ｂが表示されている。
【０１０４】
部分表示領域４３には、リンゴの画像が表示された商品画像表示部４３ａと、商品名及び商品価格が表示された商品情報表示部４３ｂが表示されている。
【０１０５】
部分表示領域４４には、いちごの画像が表示された商品画像表示部４４ａと、商品名及び商品価格が表示された商品情報表示部４４ｂが表示されている。
【０１０６】
部分表示領域４５には、リンゴの画像が表示された商品画像表示部４５ａと、商品名及び商品価格が表示された商品情報表示部４５ｂが表示されている。
【０１０７】
部分表示領域４６には、リンゴの画像が表示された商品画像表示部４６ａと、商品名及び商品価格が表示された商品情報表示部４６ｂが表示されている。
【０１０８】
部分表示領域４２〜４６は、上述したように、現時点を基準として取引の成立順に基づいて表示されるようになっている。ウィジェット表示領域４１では、この表示される順番は、取引が成立した順に、部分表示領域４２〜４６を画面上方へ移動させるように表示されている。従って、ウィジェット表示領域４１に示される部分表示領域４２〜４６の中では、部分表示領域４６に示される商品の取引が、最も直近に取引が成立したことを示している。
【０１０９】
そして、新たに取引が検知された場合には、ウィジェット表示領域４１で示される部分表示領域４２〜４６のうち、現時点を基準として、最も過去に取引が成立した部分表示領域４２をウィジェット表示領域４１から消失させ、部分表示領域４３〜４６を画面上方へ移動させ、最も直近に取引が成立した部分表示領域に表示されるべき情報を、ウィジェット表示領域４１の下方から上方へ移動させながら表示されるようになっている。即ち、ウィジェット表示領域４１では、商品情報が取引の成立順に上方へ、いわゆるスクロール表示されるようになっている。
【０１１０】
このように表示させることによって、ブログ閲覧者は、自身が興味を抱く商品が、市場おいて取引される様子を把握することができる。そして、自身が興味を抱く商品が他のユーザにも取引されていることを把握できるため、安心して当該商品を購入しようと判断するきっかけを与え得ることができる。
【０１１１】
なお、商品画像表示部４２ａ〜４６ａ又は、商品情報表示部４２ｂ〜４６ｂの何れか一方、又は双方には、上述したアフリエイトリンク情報が設定されている。
【０１１２】
このアフリエイトリンク情報及びアフリエイト報酬支払い動作の詳細については後述する。
【０１１３】
また、ウィジェット表示領域に表示される取引対象の情報として、関連する取引対象の複数の取引の成立が、所定時間内に連続して検知された場合に、この関連する取引対象の中で何れか１つの取引対象を表示するための部分表示領域に、当該関連する取引対象の情報まとめて表示させるようにしてもよい。
【０１１４】
同種の商品の情報を表示させるよりも、他の種類の商品の情報を表示させたほうが、ユーザ（ブログ閲覧者）に、新たな商品に対して購買意欲を惹起させる場合がある。
【０１１５】
そこで、このような関連する取引対象の情報を、一つの表示領域にまとめて表示させるようになっている。
【０１１６】
ここで、図５と図６を対比して、関連する複数の取引対象の中で何れか１つの取引対象を表示するための前記部分表示領域に、当該関連する取引対象の情報をまとめて表示させた場合の表示画面について説明する。
【０１１７】
図６は、関連する複数の取引対象の中で何れか１つの取引対象を表示するための前記部分表示領域に、当該関連する取引対象の情報をまとめて表示させた場合の表示画面例である。なお、以下に示す図面において、既に説明した図と同一の部材名及び部材番号を示す部材は、少なくとも同一の機能を有するものとして、その説明を省略する。
【０１１８】
図５に示すウィジェット表示領域４１では、関連する取引対象の情報としての「りんご」の取引対象の情報が、部分表示領域４２、４５、及び４６に表示されている。
【０１１９】
そして、図６に示す例では、同種の商品の取引（関連する取引対象の一例）が、ウィジェット表示領域４７に一度に表示される時間（所定期間の一例）に、連続して検知された場合には、部分表示領域４２（関連する商品を一つの取引対象を表示するための部分表示領域の一例）にまとめて表示させるようになっている。
【０１２０】
具体的には、図５に示すウィジェット表示領域４１には、同種の商品としてリンゴの画像がそれぞれ表示された部分表示領域４２、４５、及び４６が表示されていたが、図６に示すウィジェット表示領域４７では、リンゴの画像が表示された部分表示領域４２、４５、及び４６が、一つのリンゴの画像が表示された部分表示領域４２に、まとめて表示されている。そして、他の部分表示領域４８、及び４９が新たに表示されている。
【０１２１】
ここで、関連する商品として、例えば、ウィジェット表示領域４１に表示される商品のうち、同一の商品スペック、商品のカテゴリ、又は特徴を示す商品等が想定できる。また、上記所定時間は、任意に設定することができる。
【０１２２】
また、取引の成立が検知された取引対象の情報とともに、取引が成立した取引対象の購入者又は利用者の情報を表示させるようにしても良い。
【０１２３】
ここで、図７を参照して、取引対象の情報とともに、成立した取引の取引対象の購入者又は利用者の情報を表示させた場合の表示画面について説明する。
【０１２４】
図７は、取引の成立が検知された取引対象の情報とともに、当該取引が成立した取引対象の購入者又は利用者の情報を表示させた場合の表示画面例である。
【０１２５】
ここでは、システム制御部１４は、取引の成立が検知された取引対象の情報とともに、当該取引が成立した取引対象の購入者又は利用者の情報を表示させるようになっている。      
【０１２６】
図７に示すように、部分表示領域４２〜４６には、取引対象の購入者表示部４２ｃ〜４６ｃがそれぞれ表示されている。なお、取引対象がサービスであった場合には、取引対象の利用者が表示されることとなる。また、取引対象の購入者又は利用者は、取引履歴情報ＤＢ１２４を参照することにより特定される。なお、上述したように取引対象の利用者の表示の可否は、会員情報ＤＢ１２１に登録された表示許可情報に基づいて決定されるようになっている。
【０１２７】
また、表示領域に表示される取引対象の情報として、在庫に関する在庫情報を表示させるようにしても良い。
【０１２８】
ここで、図８を参照して、取引対象の情報とともに、在庫に関する在庫情報を表示させた場合の表示画面について説明する。
【０１２９】
図８は、取引対象の情報とともに、在庫に関する在庫情報を表示させた場合の表示画面例である。
【０１３０】
ここでは、システム制御部１４は、取引の成立が検知された取引対象の情報とともに、当該取引対象の在庫に関する在庫情報を表示させるようになっている。
【０１３１】
この在庫に関する在庫情報とは、取引対象が取り扱われる店舗における在庫数や、在庫の状態を所定のコメントで示したもの等を示す。例えば、取引対象が商品であった場合には、商品の在庫数等が、取引対象がサービスであった場合には、サービスの定員（例えば、旅行パックにおける定員等）等に関する人数等が、取引対象が商品のレンタルであった場合には、レンタルに係る商品の在庫数等が、それぞれ表示されることとなる。
【０１３２】
具体的には、図８の部分表示領域４２に表示される在庫情報表示部４２ｄには、在庫に関する情報として、在庫数が表示されている。
【０１３３】
部分表示領域４３に表示される在庫情報表示部４３ｄには、在庫に関する情報として、在庫数がわずかであることが表示されている。
【０１３４】
部分表示領域に表示される在庫情報表示部４４ｄには、在庫に関する情報として、在庫がないことが表示されている。
【０１３５】
この在庫に関する情報は、ショッピング情報ＤＢ１２２に登録される在庫情報を参照することにより、取得される。
【０１３６】
また、表示領域に表示される取引対象の情報として、取引対象を提供する提供者に関する広告情報を表示させるようにしても良い。
【０１３７】
ここで、図９を参照して、取引対象の情報とともに、取引対象を提供する提供者に関する広告情報を表示させた場合の表示画面について説明する。
【０１３８】
図９は、取引対象の情報とともに、取引対象を提供する提供者に関する広告情報を表示させた場合の表示画面例である。
【０１３９】
ここでは、システム制御部１４は、取引の成立が検知された取引対象の情報とともに、取引対象を提供する提供者に関する広告情報を表示させるようになっている。
【０１４０】
ここで、取引対象を提供する提供者とは、ネット市場における店舗や、個人が出品するオークションサイト等が想定されるが、ここでは、提供者の一例として店舗の場合を例に説明する。
【０１４１】
提供者が店舗の場合における提供者に関する広告情報とは、ショッピング情報ＤＢ１２２に登録される店舗情報が参照され、表示される。
【０１４２】
具体的には、部分表示領域４２に表示される広告情報表示部４２ｅには、広告情報として、現在セールスが開催されていることが表示されている。
【０１４３】
部分表示領域４３に表示される広告情報表示部４３ｅには、広告情報として、セールスの開催年月日時が表示されている。
【０１４４】
部分表示領域４４に表示される広告情報４４ｅには、広告情報として、店舗の休業日に関する情報が表示されている。
【０１４５】
なお広告情報には、上述した例の他、ユーザに告知を望む任意の情報を設定することができる。
【０１４６】
また、取引対象の情報として、ブログ閲覧者の友人情報を表示させるようにしても良い。
【０１４７】
図１０は、取引対象の情報として、ブログ閲覧者の友人情報を表示させた場合の表示画面例である。
【０１４８】
この友人情報とは、会員情報ＤＢ１２１にブログ閲覧者のユーザＩＤと対応付けて記憶される友人情報が参照され、表示されるものである。また、外部のデータベースに登録されたブログサイト、ＳＮＳサイト、又は、インスタントメッセンジャーにおけるいわゆる友達登録機能（友達関係にあるユーザを登録する機能）によって友達登録された情報から取得するようにしても良い。
【０１４９】
具体的には、成立した取引の取引対象の購入者又は利用者が、ブログ閲覧者の友人であった場合には、ウィジェット表示領域に表示されるようになっている。
【０１５０】
さらに具体的には、部分表示領域４２に表示される友人情報表示部４２ｆには、友人情報として、ブログ閲覧者と友人関係にあることが表示されている。
【０１５１】
また、部分表示領域４５に表示される友人情報表示部４５ｆにも、友人情報として、ブログ閲覧者と友人関係にあることが表示されている。
【０１５２】
このように取引対象の購入者がブログ閲覧者と友人関係にあった場合に、その旨を表示することによって、例えば、商品情報として表示される商品に対する信頼性が増し、ブログ閲覧者の購買意欲を更に惹起させる効果がある。また、例えば、商品情報として表示される商品が衣服であった場合には、同じデザインの衣服を重複して購入することを防止するとともに、異なる商品（例えば、同時デザインの衣服で色違いのもの等）を購入させるきっかけを作ることができる。
【０１５３】
また、ウィジェット表示領域における商品情報の表示態様は、適宜変更させることができる。
【０１５４】
ここで、図１１〜図１３を参照して、ウィジェット表示領域における商品情報の表示画面例について説明する。
【０１５５】
ここでは、ウィジェット表示領域に複数の関連する取引対象が、取引の成立順に表示される場合を想定する。
【０１５６】
具体的に、図１１に示すように、ウィジェット表示領域７１に、複数の関連する取引対象として同種の商品であるオレンジに関する部分表示領域７３〜７８が、取引の成立した順に基づいて、矢印Ａ（上方）へ移動させながら表示される場合を想定する。
【０１５７】
図１１において、実際のブログページ上では、ウィジェット表示領域７１に表示された部分表示領域７３〜７６が、ブログ閲覧者に閲覧可能となっており、仮想ウィジェット表示領域７２に示される領域は、これから矢印Ａへ移動させながら表示される部分表示領域７７〜７８を示している。
【０１５８】
この部分表示領域７３〜７８に表示される取引対象の情報は、同種の商品に関する情報であるため、取引対象の情報として表示される商品の画像や商品名の表示は近似したものとなっている。
【０１５９】
従って、部分表示領域７３〜７８を、取引の成立順に矢印Ａへ移動させながら表示させた場合、残像現象により、部分表示領域７３〜７８が、あたかも停止しているように見えてしまう場合がある。
そこで、図１２に示す例では、部分表示領域７３〜７８が、矢印Ａの方向へ移動させながら表示させていることを、ブログ閲覧者に視覚的に把握させるために、上記移動に伴って表示領域７１から消失する部分表示領域７３の枠を点滅させるようになっている。
また、部分表示領域７３〜７８（すなわち、ウィジェット表示領域に表示される全ての部分表示領域）を一度非表示にさせた後、再度表示させてから（すなわち、部分表示領域７３〜７８を点滅させてから）、部分表示領域７３〜７８を、矢印Ａの方向へ移動させながら表示させるようにしても良い。
【０１６０】
また、図１３（Ａ）〜（Ｈ）に示す例では、上記移動に伴ってウィジェット表示領域７１から消失する部分表示領域７３を、徐々に縮小表示させ（例えば、１３（Ａ）〜（Ｃ））、部分表示領域７４〜部分表示領域７６を移動させ、ウィジェット表示領域７１へ出現する部分表示領域７７を、徐々に拡大表示させるようにしている（例えば、図１３（Ｆ）〜（Ｈ））。
【０１６１】
具体的には、例えば、上記移動に伴ってウィジェット表示領域７１から消失する部分表示領域７３として、まず部分表示領域７３よりも表示サイズを縮小させた部分表示領域７３ａを表示させる（図１３（Ｂ））。次いで、部分表示領域７３ａよりも表示サイズを縮小させた部分表示領域７３ｂを表示させる（図１３（Ｃ））。最後に、部分表示領域７３ｂを消失させる（図１３（Ｄ））。このようにして、上記移動に伴ってウィジェット表示領域７１から消失する部分表示領域７３を、部分表示領域７３ａ及び部分表示領域７３ｂを用いて、徐々に縮小表示させるようにしている。
【０１６２】
そして、上記移動に伴ってウィジェット表示領域７１へ部分表示領域７７を表示させるために、部分表示領域７４〜部分表示領域７６を矢印Ａの方向へ移動させる（図１３（Ｅ））。
【０１６３】
次に、上記移動に伴ってウィジェット表示領域７１へ出現する部分表示領域７７として、まず部分表示領域７７より十分表示サイズの小さい部分表示領域７７ａを表示させる（図１３（Ｆ））。次いで、部分表示領域７７ａよりも表示サイズを拡大させた部分表示領域７７ｂを表示させる（図１３（Ｇ））。最後に、部分表示領域７７ｂよりも表示サイズを拡大させた部分表示領域７７を表示させる（図１３（Ｈ））。このようにして、上記移動に伴ってウィジェット表示領域７１へ出現する部分表示領域７７を、部分表示領域７７ａ及び部分表示領域７７ｄを用いて、徐々に拡大表示させるようにしている。こうすることによって、近似する商品情報が連続して表示される場合であっても、矢印Ａの方向へ移動させながら表示させていることを、ブログ閲覧者に把握させることができる。
（３−２．アフィリエイト報酬支払い動作）
次に、図１４を参照して、アフィリエイト報酬支払い動作について説明する。
【０１６４】
図１４は、アフィリエイト報酬支払いにおける情報処理システムＳの動作を示すシーケンス図である。
【０１６５】
上記ウィジェット表示領域に取引対象の情報が、例えば、ユーザ端末１−ｋのウインドウ画面に表示されている状態において、当該取引対象の情報がユーザの操作により指定（例えばマウスによりクリック操作、又はタッチパネル上をタップ操作等）されると、ユーザ端末１−kのＷｅｂブラウザは当該取引対象の情報に設定されているアフィリエイトＵＲＬがヘッダに設定されたページリクエストを情報処理サーバ３に送信する（ステップＳ２１）。
【０１６６】
そして、情報処理サーバ３のシステム制御部１４は、ページリクエストを受信すると、受信したページリクエストのヘッダに設定されたアフィリエイトＵＲＬを取得してアフィリエイトリンクであることを認識すると、当該ＵＲＬから商品ＩＤ、店舗の店舗ＩＤ、ブログ開設者のユーザＩＤ、及び取引対象の情報が表示される要因となった当該取引対象の取引を成立させた購入者又は利用者のユーザＩＤを取得する（ステップＳ２２）。
【０１６７】
次いで、システム制御部１４は、アフィリエイトリンクを経由したことを示すアフィリエイトCookieを生成する（ステップＳ２３）。ここで、アフィリエイトCookieには、例えば、アフィリエイトＵＲＬから取得された商品ＩＤ、店舗ＩＤ、ブログ開設者のユーザＩＤ、及び取引対象の情報が表示される要因となった当該取引対象の取引を成立させた購入者又は利用者のユーザＩＤと、Cookieの有効期限（例えば３０日後の日付）とが含まれる。
【０１６８】
次いで、システム制御部１４は、上記取得した店舗ＩＤに対応する商品購入手続ページと、上記生成したアフィリエイトCookie（商品購入手続ページを送信するためのレスポンスヘッダに設定される）とをユーザ端末１−ｋに送信する（ステップＳ２４）。
【０１６９】
こうして、商品購入手続ページ及びアフィリエイトCookieを受信したユーザ端末１−ｋは、商品購入手続ページをウインドウ画面に表示するとともに、アフィリエイトCookieを保存する。なお、アフィリエイトCookieをユーザ端末１−ｋに送信して保存させずに、アフィリエイトCookieに含まれるべき商品ＩＤ、店舗ＩＤ、ブログ開設者のユーザＩＤ、及び取引対象の情報が表示される要因となった当該取引対象の取引を成立させた購入者又は利用者のユーザＩＤを含むアフィリエイト情報を当該ユーザ端末１−ｋのユーザのユーザＩＤ（当該ユーザのログインにより特定）に対応付けて記憶部１２に所定期間だけ記憶（例えば、会員情報ＤＢ１２１に登録）するように構成しても良い。
【０１７０】
そして、商品購入手続ページ（又は当該ページから遷移したページ）において、ユーザが商品の購入数、代金支払い方法、及び商品の届先等を選択し商品の購入を確定するための確定ボタンを指定した場合、当該選択された情報を含む商品購入リクエストが情報処理サーバ３に送信される（ステップＳ２５）。
【０１７１】
このとき、上記アフィリエイトCookieがユーザ端末１−ｋに保存されている場合、当該アフィリエイトCookieが商品購入リクエストのヘッダに設定された後に当該商品購入リクエストが情報処理サーバ３に送信されることになる。
【０１７２】
なお、商品購入手続ページが表示された後に商品購入手続を中断（例えば、ページの表示終了、Ｗｅｂブラウザの終了等）した場合であっても、アフィリエイトCookieの有効期限内はユーザ端末１−kにアフィリエイトCookieが保存されているので、その間に商品購入手続が行われた場合、アフィリエイトCookieが商品購入リクエストに含まれることになる。
【０１７３】
そして、情報処理サーバ３のシステム制御部１４は、商品購入リクエストを受信すると、受信した商品購入リクエストに設定されたアフィリエイトCookieから、商品ＩＤ、店舗ＩＤ、ブログ開設者のユーザＩＤ、及び取引対象の情報が表示される要因となった当該取引対象の取引を成立させた購入者又は利用者のユーザＩＤを取得する（ステップＳ２６）。なお、商品ＩＤ、店舗ＩＤ、ブログ開設者のユーザＩＤ、及び取引対象の情報が表示される要因となった当該取引対象の取引を成立させた購入者又は利用者をキーとして会員情報ＤＢ１２１から取得するように構成しても良い。
【０１７４】
次いで、システム制御部１４は、受信した商品購入リクエストから商品の購入数、代金支払い方法、及び商品の届先等の情報に基づいて購入に係る商品の決済処理を行う（ステップＳ２７）。そして、システム制御部１４は、決済処理された商品の商品ＩＤ及び当該商品を販売した店舗ＩＤが、上記アフィリエイトCookieから取得された商品ＩＤ及び店舗ＩＤと一致するか否かを判定し、所定のアフィリエイト報酬の料率を、例えばショッピング情報ＤＢ１２２等から取得し、ブログ開設者のユーザＩＤ、及び取引対象の情報が表示される要因となった当該取引対象の取引を成立させた購入者又は利用者のユーザＩＤのそれぞれに対してアフィリエイト報酬として算出する。
【０１７５】
次いで、システム制御部１４は、アフィリエイトCookieから取得されたブログ開設者のユーザＩＤ、及び取引対象の情報が表示される要因となった当該取引対象の取引を成立させた購入者又は利用者のユーザＩＤに対して算出されたアフィリエイト報酬を、ブログ開設者のユーザＩＤ、及び取引対象の情報が表示される要因となった当該取引対象の取引を成立させた購入者又は利用者のユーザＩＤに、それぞれ対応づけて設定し、例えば、会員情報ＤＢ１２１にそれぞれ登録する（ステップＳ２８）。
【０１７６】
また、システム制御部１４は、ブログ開設者のユーザ、及び取引対象の情報が表示される要因となった当該取引対象の取引を成立させた購入者又は利用者のユーザに、アフィリエイト報酬が支払われたことを、例えば、メール等で通知するようにしても良い。
【０１７７】
こうして、ブログ閲覧者が、ウィジェット表示領域に表示される取引対象の情報に設定されたアフィリエイトリンク情報を介して、当該取引対象の情報に示される商品を購入した場合には、ウィジェット表示表域が設定されたブログページのブログ開設者と、当該ウィジェット表示領域に取引対象の情報が表示される要因となった当該取引対象の取引を成立させた購入者又は利用者に対して、所定のアフィリエイト報酬が支払われるのである。
【０１７８】
なお、以上説明した実施形態は特許請求の範囲にかかる発明を限定するものではない。そして、上記実施形態の中で説明されている構成の組合せ全てが発明の課題解決に必須の手段であるとは限らない。また、上記実施携帯の中で説明されている構成は、適宜組合わせて実施することが可能である。
【０１７９】
以上説明したように、上記実施形態によれば、システム制御部１４は、ウィジェット表示領域に、ブログ閲覧者のネットワークを介した取引対象に対する行動の履歴を示す行動履歴情報に基づいて、ブログ閲覧者に提示する取引対象を複数特定し、特定された各取引対象の取引の成立を検知し、取引成立の検知に応じて、当該取引が成立した取引対象の情報を、前記取引が成立した順に基づいて表示させるように構成したため、ブログ閲覧者に対して、十分に購買意欲を惹起させる情報を提供することができる。
【符号の説明】
【０１８０】
１−ｋ        ユーザ端末
２−ｋ        Ｗｅｂサイト
３            情報処理サーバ
１１          通信部
１２          記憶部
１３          入出力インターフェース部
１４          システム制御部
１５          システムバス
ＮＷ          ネットワーク
Ｓ            情報処理システム
【図１】
2012002363.tif 000003
【図２】
2012002363.tif 000004
【図３】
2012002363.tif 000005
【図４】
2012002363.tif 000006
【図５】
2012002363.tif 000007
【図６】
2012002363.tif 000008
【図７】
2012002363.tif 000009
【図８】
2012002363.tif 000010
【図９】
2012002363.tif 000011
【図１０】
2012002363.tif 000012
【図１１】
2012002363.tif 000013
【図１２】
2012002363.tif 000014
【図１３】
2012002363.tif 000015
【図１４】
2012002363.tif 000016
【国際調査報告】
2012002363.tif 000017
2012002363.tif 000018